(57)【要約】【課題】構造が簡単で、前方へのみ走行し、かつ、尺取り虫の用に走行するユニークな遊びをすることができる遊戯車を提供する。【解決手段】台座の下面に、自在回転車輪１と、逆転阻止機構とを組合せて、前方へのみ回転するワンウエイ回転車輪２とを備えた単位車４を、前後に間隔をおいて並べ、その間隔に置いて伸縮部材よりなる連結部材５で連結して遊戯車を構成し、前方の単位車４の台座３に両手をおき、後方の単位車４に両膝をおき、両膝で後方の単位車４を後方へ押して止め、両手で前方の単位車４を押して前進させ、両膝の力を脱いて連結部材５の弾力で後方の単位車４を前方の単位車４に引き寄せる作動をくりかえして前進する。【選択図】        図１
2004242727.tif 000002
【特許請求の範囲】
【請求項１】
台座の下面の複数の車輪のうち、少なくとも１つの車輪を逆転阻止機構と組合せて前方へのみ回転するワンウエイ回転車輪としてなる前方へのみ走行する単位車を、２台前後に間隔を置いて並べ、その間隔において伸縮部材で連結してなる遊戯車。
【請求項２】
台座の下面に、自在回転車輪と、逆転阻止機構と組み合わせて前方へのみ回転するワンウエイ回転車輪とを備えた前方へのみ走行する単位車を、２台前後に間隔を置いて並べ、その間隔において伸縮部材で連結してなる遊戯車。
【発明の詳細な説明】
【０００１】
【発明の属する技術分野】
この発明は、尺取り虫のように走行する遊戯車に関するものである。
【０００２】
【従来の技術】
従来、尺取り虫のように走行する遊戯車はない。
従来からワンウエイクラッチ機構はある。
例えば、特開平７−１０３２６０の公報には、駆動側からの従動側への回転を可能にするが、従動側から駆動側への回転伝達を阻止するようにしたワンウエイクラッチ装置が開示されている。
【０００３】
【特許文献１】
特開平７−１０３２６０号公報（特許請求の範囲および図面）
【０００４】
【発明が解決しようとする課題】
この発明は、構造簡単なワンウエイ回転車輪を用いた単位車を２台連結し、児童が載って尺取り虫のように、かつ、前方へのみ走行させて遊べる遊戯車を提供することを目的とする。
【０００５】
【課題を解決するための手段】
台座の下面の複数の車輪のうち、少なくとも１つの車輪を逆転阻止機構と組合せて前方へのみ回転するワンウエイ回転車輪としてなる前方へのみ走行する単位車を、２台前後に間隔を置いて並べ、その間隔において伸縮部材で連結して遊戯車を構成する。
【０００６】
台座の下面に、自在回転車輪と、逆転阻止機構と組み合わせて前方へのみ回転するワンウエイ回転車輪とを備えた前方へのみ走行する単位車を２台前後に間隔を置いて並べ、その間隔において伸縮部材で連結して遊戯車を構成する。
【０００７】
【発明の実施の形態】
この発明の実施の形態を図面により説明する。
前方および後方のいずれの方向にも回転可能な自在車輪１と、前方へのみ回転し、後方へは回転しないワンウエイ回転車輪２を台座３の下方へ設けた単位車４を２台前後に間隔をおいて並べ、その間隔で２台の単位車４、４を連結部材５で連結する。
【０００８】
自在車輪１は、アングル６で支持された軸棒７に回転自在に支持されている。
図において自在車輪１は１個であるが、２個設けてもよい。
軸棒７は、アングル６での支持に限定するものでなく、他の支持部材、例えば台座の側縁下方に設けた側板８で支持されてもよい。
【０００９】
ワンウエイ回転車輪２は、側面に複数の切り欠き９を有するギヤ１０が同心で固定された車輪で、台座３の側板８、８間に架設した軸１１で支持される。
【００１０】
一方、図示してないが、アングルまたはその他の部材、例えば側板８、８により支持された軸１２で、逆転阻止部材１３の一端を回転自在に支持し、他方の先端部をギヤ１０の後方上方から切り欠き９に嵌合可能とする。
逆転阻止部材１３は、端部で軸１２に支持されているので、先端部は下方へ回動しようとしている。
【００１１】
この単位車４は、自在車輪１は前後いずれの方向へも回転可能であり、ワンウエイ回転車輪２が前方へ、すなわち自在車輪１方向へ、回転するときは、ギヤ１０の切り欠き９の角（かど）が逆転阻止部材１３の先端を押し上げて回動させるので、逆転阻止部材１３の先端によるギヤ１０の回転阻止を解放し、ワンウエイ回転車輪２も前方へ回転するので、単位車４を前方へ押すと前方へ走行する。
【００１２】
この単位車４を後方へ走行させようと押しても、逆転阻止部材１３の先端部がギヤ１０の切り欠き９に嵌合し、ギヤ１０の後方向への回転を阻止するので、ワンウエイ回転車輪２も後方向へは回転しない。従って、単位車４は後方向へは走行しない。
【００１３】
連結部材５は、２つの単位車４、４の間隔を伸縮できる部材であればよい。
例えば、布、紐、鎖でもよいが、ゴムやプラスチック等の弾性体の紐やベルトが好ましい。
【００１４】
前述の実施の形態の単位車４においては、前輪を自在車輪１とし、後輪をワンウエイ回転車２としたが、その反対に、前輪をワンウエイ回転車とし、後輪を自在車輪としてもよい。
【００１５】
単位車の複数の車輪の、少なくとも１つはワンウエイ回転車とする。ただし、前輪または後輪が２輪の場合には、走行安定のために、何れかの２輪ともワンウエイ回転車とするのが好ましい。
単位車４の全ての車輪を、同方向に回転するワンウエイ回転車としてもよい。
【００１６】
２台の単位車４を連結部材５で連結してなる遊戯車は次のように使用する。
後の単位車４の台座３の上に両膝をつき、前の単位車４の台座３の上に両手をつく。両腕を伸ばし、両膝で後の単位車４を後方向へ押すと、逆転阻止部材１３がギヤ１０の切り欠き９に噛んで、ワンウエイ回転車輪２が回転せず、後の単位車４が停止するので、前の単位車４を前方へおすと、連結部材５が伸びて前の単位車が連結部材５の伸長許容範囲で前進する。
次いで両膝による後の単位車４への後方への押しを緩めると、連結部材５が縮んで、後の単位車４が前方の単位車に引き寄せられて前進する。
この動作を繰り返すことにより、遊戯車は尺取り虫のように前進する。
この遊戯車で前進競走をするとユ−モアのある遊びが出来る。
【００１７】
遊戯車２台を１人で使用して前進させることも出来る。
すなわち、遊戯車２台を横に並べ、２台の遊戯車の後の単位車のそれぞれに片膝をつき、前の単位車のそれぞれに両手を置き、両膝に力を入れて後の単位車４を後方へ押して停車させ、両腕を伸ばして前方の単位車４、４を前進させ、両膝の力を抜いて連結部材を縮めて後の単位車４、４を前方の単位車４、４に寄せることにより前進させる。
この場合、右と左の遊戯車を同時に前進させたり、交互に前進させたりすることができる。
【００１８】
前方の単位車４の台座３の上に把手を設け、両手で前方へ押し易くしてもよい。さらに、後方の単位車４の台座の上面の膝の当たる箇所に窪みを設け、膝を安定させると共に、膝で単位車４を後方へ押し易くしてもよい。
【００１９】
【発明の効果】
この発明に係る遊戯車は、前方へのみ走行し、かつ、尺取り虫のように前進し、取扱が簡単で、ユーモアのある遊びができる。
この発明に係る遊戯車は、構造が簡単で、安価に製造できる。
【図面の簡単な説明】
【図１】遊戯車の平面図である。
【図２】単位車の底面図である。
【図３】単位車のＡ−Ａ断面図である。
【符号の説明】
１  自在車輪
２  ワンウエイ回転車輪
３  台座
４  単位車
５  連結部材
６  アングル
７  軸棒
８  側板
９  切り欠き
１０  ギヤ
１１  軸
１２  軸
１３  逆転阻止部材
【図１】
2004242727.tif 000003
【図２】
2004242727.tif 000004
【図３】
2004242727.tif 000005